(57)【要約】【課題】圧縮機からの吐出温度が高くなる冷媒が利用された場合の冷房能力の損失を低減するためのシート材を容易に取り付ける。【解決手段】冷媒を蓄圧するアキュムレータ７と、冷媒を圧縮する圧縮機８と、一枚のシート状に形成されたシート材１５とを備えている。シート材１５は、圧縮機８に巻きつけられる圧縮機断熱部分１６と、アキュムレータ７に巻きつけられるアキュムレータ断熱部分１７と、圧縮機８が配置される領域とアキュムレータ７が配置される領域とを隔てるように圧縮機８とアキュムレータ７との間に配置される隔絶部分とを含んでいる。このような圧縮機システムは、圧縮機８からアキュムレータ７に移動する熱を低減することができ、さらに、部品点数が少なく、シート材１５を容易に取り付けることができる。【選択図】図３
2016023609.tif 000002
【特許請求の範囲】
【請求項１】
冷媒を蓄圧するアキュムレータと、
前記冷媒を圧縮する圧縮機と、
一枚のシート状に形成されたシート材とを備え、
前記シート材は、
前記圧縮機に巻きつけられる圧縮機断熱部分と、
前記アキュムレータに巻きつけられるアキュムレータ断熱部分と、
前記圧縮機が配置される領域と前記アキュムレータが配置される領域とを隔てるように前記圧縮機と前記アキュムレータとの間に配置される隔絶部分とを含む圧縮機システム。
【請求項２】
前記シート材は、前記圧縮機断熱部分が前記圧縮機を取り囲むように前記圧縮機に巻きつけられ、かつ、前記アキュムレータ断熱部分が前記アキュムレータを取り囲むように前記アキュムレータに巻きつけられている請求項１に記載の圧縮機システム。
【請求項３】
前記シート材は、前記アキュムレータ断熱部分が前記アキュムレータを取り囲むように前記アキュムレータに巻きつけられ、かつ、前記圧縮機の周囲のうちの前記アキュムレータの側の領域に前記圧縮機断熱部分で覆われていない隙間が形成されるように前記圧縮機に巻きつけられている請求項１に記載の圧縮機システム。
【請求項４】
前記シート材は、前記圧縮機断熱部分が前記圧縮機を取り囲むように前記圧縮機に巻きつけられ、かつ、前記アキュムレータの周囲のうちの前記圧縮機の側の領域に前記アキュムレータ断熱部分で覆われていない隙間が形成されるように前記アキュムレータに巻きつけられている請求項１に記載の圧縮機システム。
【請求項５】
前記圧縮機断熱部分の一部分と前記アキュムレータ断熱部分の一部分とを引き寄せるように前記シート材を締め付けることにより、前記シート材を前記圧縮機と前記アキュムレータとに固定する固定部材をさらに備える請求項１から請求項４のうちのいずれか一項に記載の圧縮機システム。
【請求項６】
前記シート材は、前記アキュムレータ断熱部分の一部分が前記圧縮機断熱部分の一部分に接触するように、前記圧縮機と前記アキュムレータとに巻きつけられる請求項１から請求項５のうちのいずれか一項に記載される圧縮機システム。
【請求項７】
請求項１から請求項６のいずれか一項に記載の圧縮機システムと、
室内熱交換器と、
室外熱交換器と、
を備えている空調装置。
【発明の詳細な説明】
【技術分野】
【０００１】
本発明は、アキュムレータを備えた圧縮機システムに関する。
【背景技術】
【０００２】
アキュムレータを備えた圧縮機システムは、例えば、冷凍装置である空調装置に用いられる（特許文献１参照）。このような空調装置に用いられる冷媒に対して、近年、オゾン層保護の観点から、Ｒ４１０Ａ冷媒より地球温暖化係数が小さいＲ３２冷媒への転換が進められている。しかしながら、Ｒ３２冷媒は、冷媒物性上、Ｒ４１０Ａ冷媒に比較して、圧縮機での吐出温度が上昇する。そこで、Ｒ３２冷媒が用いられた場合でも、冷房能力の損失低減を図ることができる圧縮機システムが望まれている。
【０００３】
特許文献２には、圧縮機の吐出温度がＲ４１０Ａ冷媒より高くなるＲ３２冷媒では、配管を断熱材で覆うことで冷房能力の損失低減を図ることができることが示されている。具体的には、Ｒ３２冷媒を用いる冷媒回路において、筐体内に収納される冷媒回路用配管および冷媒回路を形成する容器の低温側、高温側および圧縮機を断熱材で覆う冷凍空調装置の例が示されている。
【先行技術文献】
【特許文献】
【０００４】
【特許文献１】特開２００４−３６０４７６号公報
【特許文献２】特許第４１２４１４６号公報
【発明の概要】
【発明が解決しようとする課題】
【０００５】
圧縮機システムは、さらに、容易に組み立てられることが望まれている。しかしながら、特許文献２には、Ｒ３２冷媒を用いる冷媒回路の冷房能力の損失低減を図るための断熱材を設置する作業を容易化することに関して、何ら示されていない。
【０００６】
本発明は、このような事情に鑑みてなされたものであって、圧縮機からの吐出温度が高くなる冷媒が利用された場合の冷房能力の損失低減を図るためのシート材を容易に取り付けることができる圧縮機システムを提供することを目的とする。
【課題を解決するための手段】
【０００７】
本発明による圧縮機システムは、冷媒を蓄圧するアキュムレータと、前記冷媒を圧縮する圧縮機と、一枚のシート状に形成されたシート材とを備えている。前記シート材は、前記圧縮機に巻きつけられる圧縮機断熱部分と、前記アキュムレータに巻きつけられるアキュムレータ断熱部分と、前記圧縮機が配置される領域と前記アキュムレータが配置される領域とを隔てるように前記圧縮機と前記アキュムレータとの間に配置される隔絶部分とを含んでいる。
【０００８】
このような圧縮機システムは、シート材の一部が圧縮機とアキュムレータとの間に配置されることにより、圧縮機からアキュムレータに移動する熱を低減することができ、圧縮機からの吐出温度が高くなる冷媒（例示：Ｒ３２冷媒）が利用された場合でも、低温冷媒と高温冷媒との間の熱移動を低減することができる。さらに、このような圧縮機システムは、１つのシート材を用いて、圧縮機を環境から断熱し、アキュムレータを環境から断熱し、かつ、圧縮機とアキュムレータとの間を断熱することができる。このような圧縮機システムは、さらに、圧縮機からアキュムレータに移動する熱を低減する断熱材が、圧縮機とアキュムレータとを環境から隔てるシート材と別個に備えている他の圧縮機システムに比較して、部品点数が少なく、容易に作製されることができる。
【０００９】
前記シート材は、前記圧縮機断熱部分が前記圧縮機を取り囲むように前記圧縮機に巻きつけられ、かつ、前記アキュムレータ断熱部分が前記アキュムレータを取り囲むように前記アキュムレータに巻きつけられている。
【００１０】
このようなシート材は、圧縮機とアキュムレータとの間にシート材が二重に配置され、圧縮機またはアキュムレータの側面を一周ぐるりと囲むように巻きついていないときに比較して、圧縮機からアキュムレータに移動する熱を高効率に低減することができる。
【００１１】
前記シート材は、前記アキュムレータ断熱部分が前記アキュムレータを取り囲むように前記アキュムレータに巻きつけられ、かつ、前記圧縮機の周囲のうちの前記アキュムレータの側の領域に前記圧縮機断熱部分で覆われていない隙間が形成されるように前記圧縮機に巻きつけられている。
【００１２】
このようなシート材は、圧縮機をぐるりと囲むように巻きつけられるときに比較して、小さく形成されることができ、安価に形成されることができる。このため、圧縮機システムは、このようなシート材を備えることにより、安価に作製されることができる。
【００１３】
前記シート材は、前記圧縮機断熱部分が前記圧縮機を取り囲むように前記圧縮機に巻きつけられ、かつ、前記アキュムレータの周囲のうちの前記圧縮機の側の領域に前記アキュムレータ断熱部分で覆われていない隙間が形成されるように前記アキュムレータに巻きつけられている。
【００１４】
このようなシート材は、アキュムレータをぐるりと囲むように巻きつけられるときに比較して、小さく形成されることができ、安価に形成されることができる。このため、圧縮機システムは、このようなシート材を備えることにより、安価に作製されることができる。
【００１５】
本発明による圧縮機システムは、前記圧縮機断熱部分の一部分と前記アキュムレータ断熱部分の一部分とを引き寄せるように前記シート材を締め付けることにより、前記シート材を前記圧縮機と前記アキュムレータとに固定する固定部材をさらに備えている。
【００１６】
このような圧縮機システムは、圧縮機断熱部分の一部分とアキュムレータ断熱部分の一部分とを引き寄せることにより、シート材が圧縮機とアキュムレータとから外れないように、圧縮機とアキュムレータとにシート材を適切に取り付けることができる。このような圧縮機システムは、さらに、シート材の一か所を締め付けることにより圧縮機とアキュムレータとにシート材を適切に取り付けることができ、圧縮機断熱部分を圧縮機に固定する固定部材とアキュムレータ断熱部分をアキュムレータに固定する固定部材とを別個に備える他の圧縮機システムに比較して、圧縮機とアキュムレータとにシート材をより容易に取り付けることができる。
【００１７】
前記シート材は、前記アキュムレータ断熱部分の一部分が前記圧縮機断熱部分の一部分に接触するように、前記圧縮機と前記アキュムレータとに巻きつけられている。
【００１８】
このような圧縮機システムは、シート材が圧縮機の側面を一周ぐるりと囲むように巻きついていない場合でも、圧縮機が配置される領域を外部と隔てることができ、圧縮機から外部に伝わる騒音を低減することができる。
【００１９】
本発明による空調装置は、本発明による圧縮機システムと、室内熱交換器と、室外熱交換器とを備えている。
このような空調装置は、圧縮機システムが圧縮機からアキュムレータに移動する熱を低減することができることにより、圧縮機からの吐出温度が高くなる冷媒（例示：Ｒ３２冷媒）が利用された場合でも、低温冷媒と高温冷媒との間の熱移動を低減でき、空調の効率の向上を図ることができる。
【発明の効果】
【００２０】
本発明による圧縮機システムは、圧縮機からアキュムレータに移動する熱を低減することができ、圧縮機からの吐出温度が高くなる冷媒が利用された場合でも、低温冷媒と高温冷媒との間の熱移動を低減でき、空調の効率の向上を図ることができる。本発明による圧縮機システムは、さらに、１つのシート材を用いて、圧縮機を環境から断熱し、アキュムレータを環境から断熱し、かつ、圧縮機とアキュムレータとの間を断熱することにより、部品点数を少なし、容易に組み立てることができる。
【図面の簡単な説明】
【００２１】
【図１】本発明の圧縮機システムが適用される空調装置を示す冷媒回路図である。
【図２】図１の冷媒回路の圧縮機システムを示す縦断面図である。
【図３】第１の実施形態の圧縮機システムに利用される断熱部材を示す横断面図である。
【図４】第１の実施形態の圧縮機システムに利用される断熱部材を示す側面図である。
【図５】第２の実施形態の圧縮機システムに利用される断熱部材を示す横断面図である。
【図６】第３の実施形態の圧縮機システムに利用される断熱部材を示す横断面図である。
【発明を実施するための形態】
【００２２】
以下に、本発明の一実施形態にかかる圧縮機システムについて図面を参照して説明する。
この圧縮機システムが適用される空調装置１は、図１に示されているように、冷媒が循環する冷媒回路を備えている。冷媒としては、Ｒ３２冷媒が例示される。冷媒回路は、四方弁２と室外熱交換器３と膨張弁５と室内熱交換器６とアキュムレータ７と圧縮機８とを備えている。圧縮機システムは、圧縮機８とアキュムレータ７とを備えている。
【００２３】
四方弁２は、冷房運転と暖房運転とで冷媒の流れ方向を切り換える。すなわち、四方弁２は、冷房運転のときに、圧縮機８により圧縮された冷媒を室外熱交換器３に供給し、室内熱交換器６により加熱された冷媒を圧縮機８にアキュムレータ７を介して供給する。四方弁２は、さらに、暖房運転のときに、圧縮機８により圧縮された冷媒を室内熱交換器６に供給し、室外熱交換器３により加熱された冷媒を圧縮機８にアキュムレータ７を介して供給する。
【００２４】
室外熱交換器３は、屋外に配置される室外機の内部に設けられている。室外熱交換器３は、四方弁２または膨張弁５から供給される冷媒を室外空気と熱交換する。膨張弁５は、室外熱交換器３または室内熱交換器６から供給される冷媒を膨張させて低温にする。室内熱交換器６は、屋内に配置される室内器の内部に設けられている。室内熱交換器６は、四方弁２または膨張弁５から供給される冷媒を室外空気と熱交換する。
【００２５】
アキュムレータ７は、室外機の内部に設けられ、冷媒を四方弁２から圧縮機８に供給する吸入側配管１０の途中に設けられている。アキュムレータ７は、圧縮機８に供給される冷媒の圧力が所定の圧力に制御されるように冷媒を蓄圧し、さらに、冷媒ガス中に含まれる油、液冷媒等の液分を分離し、ガス分のみを吸入側配管１０を介して圧縮機８へと吸い込ませるように構成されている。
【００２６】
圧縮機８は、室外機の内部に設けられ、ロータリー圧縮機から形成されている。圧縮機８は、アキュムレータ７により蓄圧される冷媒を圧縮する。
【００２７】
空調装置１は、以下のように動作する。
空調装置１は、冷房運転のときに、圧縮機８により圧縮された冷媒が室外熱交換器３に供給され、かつ、室内熱交換器６により加熱された冷媒が圧縮機８にアキュムレータ７を介して供給されるように、四方弁２を切り替える。圧縮機８により圧縮された冷媒は、四方弁２を介して室外熱交換器３に供給され、室外熱交換器３で室外空気と熱交換され、室外空気を加熱し、冷却される。室外熱交換器３で冷却された冷媒は、膨張弁５で膨張し、低温になる。膨張弁５で低温となった冷媒は、室内熱交換器６で室内空気と熱交換され、室内空気を冷却し、加熱される。室内熱交換器６で加熱された冷媒は、四方弁２と吸入側配管１０とを介して圧縮機８に供給される。吸入側配管１０を流れる冷媒は、圧縮機８に供給される冷媒の圧力が所定の圧力になるようにアキュムレータ７により蓄圧される。圧縮機８に供給された冷媒は、圧縮され、高温になる。
【００２８】
空調装置１は、暖房運転のときに、圧縮機８により圧縮された冷媒が室内熱交換器６に供給され、かつ、室外熱交換器３により加熱された冷媒が圧縮機８にアキュムレータ７を介して供給されるように、四方弁２を切り替える。圧縮機８により圧縮された冷媒は、四方弁２を介して室内熱交換器６に供給され、室内熱交換器６で室内空気と熱交換され、室内空気を加熱し、冷却される。室内熱交換器６で冷却された冷媒は、膨張弁５で膨張し、低温になる。膨張弁５で低温となった冷媒は、室外熱交換器３で室外空気と熱交換され、室外空気を冷却し、加熱される。室外熱交換器３で加熱された冷媒は、四方弁２と吸入側配管１０とを介して圧縮機８に供給される。吸入側配管１０を流れる冷媒は、圧縮機８に供給される冷媒の圧力が所定の圧力になるようにアキュムレータ７により蓄圧される。圧縮機８に供給された冷媒は、圧縮機８により圧縮され、高温になる。
【００２９】
［第１の実施形態］
図２は、圧縮機８とアキュムレータ７とを備えた圧縮機システムの第１の実施形態を示している。圧縮機８は、概ね円筒状に形成された密閉容器を備え、密閉容器の内部の上方部位にモータが設置され、ロータリー圧縮機構がその下方部位に設置されている。ロータリー圧縮機構は、本実施形態では多気筒タイプとされ、複数のシリンダ室と、各シリンダ室内を吸入側と吐出側とに仕切るブレードと、該モータにより各シリンダ室内を回動するロータとを備えている。圧縮機８は、吸入側配管１０から各シリンダ室内に吸入される低圧の冷媒ガスがロータの回動により圧縮された後、密閉容器内に吐き出され、四方弁２へと送り出されるように構成されている。圧縮機８は、密閉容器が形成する円筒の軸１１が鉛直方向に平行になるように、配置されている。
【００３０】
アキュムレータ７は、概ね円柱状に形成され、その円柱の軸１２が圧縮機８の軸１１と平行になるように、かつ、圧縮機８の軸１１と垂直な方向（水平方向）に沿って圧縮機８と並ぶように、配置されている。圧縮機システムは、支持部材１４をさらに備えている。支持部材１４は、棒状に形成され、一端が圧縮機８に接合され、他端がアキュムレータ７に接合されている。支持部材１４は、両端が圧縮機８とアキュムレータ７とに接合されることにより、アキュムレータ７を圧縮機８に固定している。
【００３１】
圧縮機システムは、さらに、図３に示されるように、シート材１５を備えている。シート材１５は、連続した長尺の帯状とされたシート状に形成され、フェルト層とゴム層とを含む複数の層が厚さ方向に積層された多層構造に形成されている。フェルト層は、フェルト状の断熱材から形成されている。ゴム層は、ゴムから形成され、フェルト層に重ねられている。シート材１５は、このように形成されているために可撓性を有し、簡単に手で曲げることができるように形成されている。シート材１５は、さらに、一方の側から音が入射されたときに、その音の一部を吸音し、一方の側から他方の側に透過する音を低減する。シート材１５は、さらに、一方の側から熱が入射されたときに、その一方の側から他方の側に移動する熱を低減する。
【００３２】
シート材１５は、圧縮機断熱部分１６とアキュムレータ断熱部分１７と連結部分１８とを備えている。圧縮機断熱部分１６は、シート材１５のうちの圧縮機８が形成する円柱の側面に接触している部分である。圧縮機断熱部分１６は、フェルト層の側の面が内周側に位置して圧縮機８の外周面に対向するように、かつ、圧縮機８をぐるりと取り囲むように、圧縮機８が形成する円柱の側面に巻き付けられ、筒状に形成されている。すなわち、圧縮機断熱部分１６は、シート材１５のうちの圧縮機断熱部分１６の側の端１９が圧縮機断熱部分１６と圧縮機８との間に挟まれている。アキュムレータ断熱部分１７は、シート材１５のうちのアキュムレータ７が形成する円柱の側面に接触している部分である。アキュムレータ断熱部分１７は、フェルト層の側の面が内周側に位置してアキュムレータ７の外周面に対向するように、かつ、アキュムレータ７をぐるりと取り囲むように、アキュムレータ７が形成する円柱の側面に巻き付けられ、筒状に形成されている。すなわち、アキュムレータ断熱部分１７は、シート材１５のうちのアキュムレータ断熱部分１７の側の端２０がアキュムレータ断熱部分１７とアキュムレータ７との間に挟まれている。連結部分１８は、圧縮機断熱部分１６とアキュムレータ断熱部分１７との間に配置され、圧縮機断熱部分１６とアキュムレータ断熱部分１７とを連結している。
【００３３】
圧縮機断熱部分１６には、切り込みが形成されている。切り込みは、圧縮機断熱部分１６が圧縮機８に巻きついているときに、支持部材１４が貫通するように、形成されている。切り込みは、圧縮機断熱部分１６が圧縮機８に巻きついているときに、さらに、軸１１に垂直な平面に沿うように形成され、支持部材１４が貫通する部分がシート材１５の端１９につながるように形成されている。
【００３４】
圧縮機断熱部分１６には、さらに、他の切り込みが形成されている。この切り込みは、圧縮機断熱部分１６が圧縮機８に巻きついているときに、吸入側配管１０のうちのアキュムレータ７と圧縮機８とをつなぐ部分が貫通するように、形成されている。切り込みは、圧縮機断熱部分１６が圧縮機８に巻きついているときに、軸１１に垂直な平面に沿うように形成され、吸入側配管１０が貫通する部分がシート材１５の端１９につながるように形成されている。
【００３５】
アキュムレータ断熱部分１７には、切り込みが形成されている。切り込みは、アキュムレータ断熱部分１７がアキュムレータ７に巻きついているときに、支持部材１４が貫通するように、形成されている。切り込みは、アキュムレータ断熱部分１７がアキュムレータ７に巻きついているときに、軸１２に垂直な平面に沿うように形成され、支持部材１４が貫通する部分がシート材１５の端２０につながるように、形成されている。
【００３６】
アキュムレータ断熱部分１７には、さらに、他の切り込みが形成されている。この切り込みは、アキュムレータ断熱部分１７がアキュムレータ７に巻きついているときに、吸入側配管１０のうちのアキュムレータ７と圧縮機８とをつなぐ部分が貫通するように、形成されている。切り込みは、軸１１に垂直な平面に沿うように形成され、吸入側配管１０が貫通する部分がシート材１５の端２０につながるように形成されている。
【００３７】
圧縮機システムは、さらに、図示されていない蓋を備えている。蓋は、シート材１５と同様にして、フェルト層とゴム層とを含む複数の層が厚さ方向に積層された多層構造に形成されている。蓋は、シート材１５がアキュムレータ７と圧縮機８とに巻き付けられているときに、シート材１５のうちの端１９、２０以外の縁に接合され、シート材１５により囲まれてアキュムレータ７と圧縮機８とが配置される領域の上下に形成される開口部を塞いでいる。
【００３８】
シート材１５は、このように配置されることにより、圧縮機８とアキュムレータ７との間に配置されている隔絶部分を含んでいる。このとき、隔絶部分は、圧縮機断熱部分１６の一部とアキュムレータ断熱部分１７の一部とから形成されている。すなわち、シート材１５は、圧縮機８が配置される領域とアキュムレータ７が配置される領域との間に二重になって配置され、軸１１に垂直であり圧縮機８およびアキュムレータ７と交差する断面において、圧縮機８が配置される領域とアキュムレータ７が配置される領域とを隔てている。
【００３９】
シート材１５は、さらに、圧縮機断熱部分１６のゴム層の側の面の一部分とアキュムレータ断熱部分１７のゴム層の側の面の一部分とが接触し、圧縮機断熱部分１６とアキュムレータ断熱部分１７と連結部分１８とで囲まれた領域が外部から隔離されるように、取り付けられている。圧縮機システムは、シート材１５がこのように取り付けられていることにより、圧縮機断熱部分１６とアキュムレータ断熱部分１７との隙間から漏れる圧縮機８の騒音を低減することができる。なお、シート材１５は、圧縮機断熱部分１６とアキュムレータ断熱部分１７との隙間から漏れる圧縮機８の騒音が十分に小さいときに、圧縮機断熱部分１６の一部分とアキュムレータ断熱部分１７の一部分とが接触しないように、取り付けられることもできる。
【００４０】
シート材１５は、さらに、圧縮機側金具２１とアキュムレータ側金具２２と縛り紐２３とからなる固定部材を備えている。圧縮機側金具２１は、圧縮機断熱部分１６のゴム層の側の表面に接合され、圧縮機断熱部分１６のゴム層の側の表面から突出する突起に形成されている。アキュムレータ側金具２２は、アキュムレータ断熱部分１７のゴム層の側の表面に接合され、アキュムレータ断熱部分１７のゴム層の側の表面から突出する突起に形成されている。縛り紐２３は、シート材１５を圧縮機８とアキュムレータ７とに巻きつけた状態で、図４に示されるように、縛り紐２３と連結部分１８との間に圧縮機８とアキュムレータ７とが配置されるように配置されている。縛り紐２３は、さらに、圧縮機断熱部分１６のうちの圧縮機側金具２１が接合された部分とアキュムレータ断熱部分１７のうちのアキュムレータ側金具２２が接合された部分とを引き寄せるように、圧縮機側金具２１とアキュムレータ側金具２２とに絡められている。
【００４１】
［シート材１５の取り付け方］
シート材１５は、以下のように取り付けられる。
まず、シート材１５の圧縮機断熱部分１６は、圧縮機８が形成する円柱の側面に圧縮機断熱部分１６が巻き付けられる。このとき、シート材１５の圧縮機断熱部分１６に形成された切り込みに支持部材１４が貫通するように、シート材１５の端１９から切り込みに支持部材１４が差し込まれ、圧縮機断熱部分１６に形成された他の切り込みに吸入側配管１０が貫通するように、その切り込みに吸入側配管１０が差し込まれる。シート材１５の圧縮機断熱部分１６は、２つの切り込みに支持部材１４と吸入側配管１０とがそれぞれ差し込まれた後に、シート材１５の端１９が圧縮機断熱部分１６と圧縮機８の間に挟まれて固定されるように、端１９が圧縮機断熱部分１６と圧縮機８の間に押し込まれる。
【００４２】
シート材１５は、さらに、アキュムレータ７が形成する円柱の側面にアキュムレータ断熱部分１７が巻き付けられ、アキュムレータ断熱部分１７に形成された２つの切り込みに支持部材１４と吸入側配管１０とがそれぞれ差し込まれる。アキュムレータ断熱部分１７は、２つの切り込みに支持部材１４と吸入側配管１０とがそれぞれ差し込まれた後に、シート材１５の端２０がアキュムレータ断熱部分１７とアキュムレータ７の間に挟まれて固定されるように、端２０がアキュムレータ断熱部分１７とアキュムレータ７の間に押し込まれる。
【００４３】
圧縮機８に圧縮機断熱部分１６が巻き付けられ、アキュムレータ７にアキュムレータ断熱部分１７が巻き付けられた後に、縛り紐２３を圧縮機側金具２１とアキュムレータ側金具２２とに絡めることにより、シート材１５が緩まないようにシート材１５を締め付け、圧縮機８とアキュムレータ７とにシート材１５が固定される。圧縮機８とアキュムレータ７とにシート材１５が固定された後に、シート材１５により囲まれてアキュムレータ７と圧縮機８とが配置される領域の上下に形成される開口部が塞がれるように、シート材１５のうちの端１９、２０以外の縁に蓋が接合され、圧縮機システムが作製される。
【００４４】
［圧縮機システムの作用効果］
以上に説明の構成により、本実施形態によれば、以下の作用効果を奏する。
圧縮機システムは、圧縮機８が配置される領域とアキュムレータ７が配置される領域とを、シート材１５の一部からなる隔絶部分が隔てることにより、圧縮機８からアキュムレータ７に移動する熱が低減される。圧縮機システムは、圧縮機８からアキュムレータ７に移動する熱が低減されることにより、圧縮機８から吐出される高温の冷媒の熱損失を低減することができる。この結果、空調装置１は、このような圧縮機システムをそなえることにより、圧縮機８からの吐出温度が高くなるＲ３２冷媒といった冷媒が用いられた場合でも、圧縮機８から吐出される高温の冷媒の熱損失を十分に低減することができ、エネルギー消費効率の向上を図ることができる。
【００４５】
圧縮機システムは、シート材１５と蓋とにより圧縮機８とアキュムレータ７とを囲むことにより、圧縮機８から発生する騒音をシート材１５と蓋とにより吸音し、圧縮機８から発生する騒音を低減している。すなわち、シート材１５は、圧縮機８から発生する騒音を低減する防音材であり、圧縮機８からアキュムレータ７に移動する熱を低減する断熱材として併用されている。このため、圧縮機システムは、圧縮機８からアキュムレータ７に移動する熱を低減する断熱材を、圧縮機８から発生する騒音を低減するシート材１５と別途に準備する必要がなく、容易に作製されることができる。
【００４６】
複数のシート材を用いて、圧縮機８とアキュムレータ７とを外部から断熱し、かつ、圧縮機８からアキュムレータ７に移動する熱を低減することもできる。
これに対して、本実施形態の空調装置１は、１枚のシート材１５によって圧縮機８及びアキュムレータ７の断熱と、圧縮機８からアキュムレータ７に移動する熱の低減を実現することができるので、部品点数が少なく、シート材１５を取り付ける作業の手間を低減し、圧縮機８とアキュムレータ７とにシート材１５をより容易に取り付けることができる。
【００４７】
シート材１５は、軸１１、１２に垂直である平面に沿って切り込みが形成されていることにより、比較的容易に圧縮機８とアキュムレータ７とに巻き付けることができる。
すなわち、支持部材１４または吸入側配管１０が貫通する切り込みが軸１１、１２に平行に形成されている比較例のシート材は、支持部材１４または吸入側配管１０を切り込みに差し込むときに、軸１１、１２と平行に上下に大きく移動させる必要がある。
これに対して、シート材１５は、軸１１、１２と平行に大きく移動させることなく、圧縮機断熱部分１６を圧縮機８に巻き付け、または、アキュムレータ断熱部分１７をアキュムレータ７に巻き付けるときに移動させる巻き付け方向（軸１１、１２と垂直である方向）に動かすことにより、支持部材１４または吸入側配管１０を切り込みに貫通させることができる。このため、シート材１５は、比較例のシート材に比較して、支持部材１４または吸入側配管１０をより容易に切り込みに貫通させることができ、より容易に圧縮機システムに取り付けることができる。
【００４８】
なお、シート材１５は、圧縮機側金具２１とアキュムレータ側金具２２と縛り紐２３とからなる固定部材と異なる他の固定部材を用いて圧縮機８とアキュムレータ７とに固定されることもできる。その固定部材としては、圧縮機断熱部分縛り紐とアキュムレータ断熱部分縛り紐とからなる組が例示される。圧縮機断熱部分縛り紐は、圧縮機断熱部分１６が緩みなく圧縮機８に巻きつくように、シート材１５の端２０と圧縮機断熱部分１６のうちの連結部分１８の側の端とを接近させ、シート材１５を締め付ける。アキュムレータ断熱部分縛り紐は、アキュムレータ断熱部分１７が緩みなくアキュムレータ７に巻きつくように、シート材１５の端１９とアキュムレータ断熱部分１７のうちの連結部分１８の側の端とを接近させ、シート材１５を締め付ける。このような固定部材を備える圧縮機システムも、既述の第１の実施形態の圧縮機システムと同様にして、圧縮機８からアキュムレータ７に移動する熱が低減され、圧縮機８から吐出される高温の冷媒の熱損失を十分に低減することができ、エネルギー消費効率の向上を図ることができる。また、第１の実施形態の圧縮機システムは、縛り紐２３を用いて一箇所を締め付けるだけで圧縮機８とアキュムレータ７とにシート材１５を取り付けることができ、このような圧縮機断熱部分縛り紐とアキュムレータ断熱部分縛り紐とを備える圧縮機システムに比較して、圧縮機８とアキュムレータ７とにシート材１５を容易に取り付けることができる。
【００４９】
［第２の実施形態］
図５は、圧縮機システムの第２の実施形態におけるシート材を示している。シート材３１は、シート材１５と同様にして、シート状に形成され、フェルト層とゴム層とを含む複数の層が積層される多層構造に形成されている。フェルト層は、フェルト状の断熱材から形成されている。ゴム層は、ゴムから形成され、フェルト層に重ねられている。
【００５０】
シート材３１は、圧縮機断熱部分３２とアキュムレータ断熱部分３３と連結部分３４とを備えている。連結部分３４は、圧縮機断熱部分３２とアキュムレータ断熱部分３３との間に配置され、圧縮機断熱部分３２とアキュムレータ断熱部分３３とを接合している。アキュムレータ断熱部分３３は、シート材３１のうちのアキュムレータ７が形成する円柱の側面に接触している部分である。アキュムレータ断熱部分３３は、フェルト層の側の面がアキュムレータ７に対向するように、かつ、シート材３１の端３６がアキュムレータ断熱部分３３とアキュムレータ７の間に挟まれるように、アキュムレータ７が形成する円柱の側面に巻き付けられている。
【００５１】
アキュムレータ断熱部分３３には、切り込みが形成されている。切り込みは、アキュムレータ断熱部分３３がアキュムレータ７に巻きついているときに、支持部材１４が貫通するように、形成されている。切り込みは、支持部材１４が貫通する部分がシート材３１の端３６につながるように、形成されている。
【００５２】
アキュムレータ断熱部分３３には、さらに、他の切り込みが形成されている。切り込みは、アキュムレータ断熱部分３３がアキュムレータ７に巻きついているときに、吸入側配管１０のうちのアキュムレータ７と圧縮機８とをつなぐ部分が貫通するように、形成されている。切り込みは、支持部材１４が貫通する部分がシート材３１の端３６につながるように、形成されている。
【００５３】
圧縮機断熱部分３２は、シート材３１のうちの圧縮機８が形成する円柱の側面に接触している部分である。圧縮機断熱部分３２は、フェルト層の側の面が圧縮機８に対向するように、かつ、シート材３１のうちの圧縮機断熱部分３２の側の端３５（すなわち、圧縮機断熱部分３２の連結部分３４と反対側の端）が圧縮機断熱部分３２の連結部分３４の側の端に届かないように、圧縮機８に巻き付けられている。すなわち、圧縮機断熱部分３２は、圧縮機８の側面を一周ぐるりと取り囲んでおらず、圧縮機８の周囲には、アキュムレータ７の側の領域に、圧縮機断熱部分３２で覆われていない隙間が形成されている。圧縮機断熱部分３２は、さらに、アキュムレータ断熱部分３３のアキュムレータ７に対向する面の裏面に端３５が接触するように、圧縮機８に巻き付けられている。シート材３１は、さらに、圧縮機断熱部分３２のゴム層の側の面の一部分（シート材３１のうちの圧縮機断熱部分３２の側の端３５）とアキュムレータ断熱部分３３のゴム層の側の面の一部分とが接触し、圧縮機８が配置される領域が外部から隔離されるように、取り付けられている。
【００５４】
シート材３１は、さらに、圧縮機側金具３７とアキュムレータ側金具３８と縛り紐３９とを備えている。圧縮機側金具３７は、圧縮機断熱部分３２のゴム層の側の表面に接合され、圧縮機断熱部分３２のゴム層の側の表面から突出する突起に形成されている。アキュムレータ側金具３８は、アキュムレータ断熱部分３３のゴム層の側の表面に接合され、アキュムレータ断熱部分３３のゴム層の側の表面から突出する突起に形成されている。縛り紐３９は、シート材３１が圧縮機８とアキュムレータ７とに巻きついているときに、縛り紐３９と連結部分３４との間に圧縮機８とアキュムレータ７とが配置されるように配置されている。縛り紐３９は、圧縮機断熱部分３２のうちの圧縮機側金具３７が接合された部分とアキュムレータ断熱部分３３のうちのアキュムレータ側金具３８が接合された部分とを引き寄せるように圧縮機側金具３７とアキュムレータ側金具３８とに絡められることにより、圧縮機８とアキュムレータ７とからシート材３１が外れないように、シート材３１を圧縮機８とアキュムレータ７とに固定している。
【００５５】
シート材３１が適用された圧縮機システムも、第１の実施形態の圧縮機システムと同様にして、圧縮機８が配置される領域とアキュムレータ７が配置される領域とを隔てるようにシート材３１の一部である隔絶部分が配置されることにより、圧縮機８からアキュムレータ７に移動する熱が低減され、圧縮機８から吐出される高温の冷媒の熱損失を低減することができる。
【００５６】
シート材３１が適用された圧縮機システムは、圧縮機８が配置される領域とアキュムレータ７が配置される領域との間にシート材３１が二重になっていない部分がある。このため、シート材３１が適用された圧縮機システムは、圧縮機８とアキュムレータ７との間のシート材１５が二重になっている第１の実施形態の圧縮機システムに比較して、圧縮機８からアキュムレータ７に移動する熱を低減する効率が低下する。しかしながら、圧縮機８とアキュムレータ７との間にシート材３１が二重になっていない部分が配置されていても、圧縮機８からアキュムレータ７に移動する熱を十分に低減することができるときに、第２の実施形態の圧縮機システムように、一部が一重になっているシート材３１が適用されてもよい。
【００５７】
シート材３１が適用された圧縮機システムは、さらに、第１の実施形態の圧縮機システムと同様にして、１枚のシート材３１により圧縮機８とアキュムレータ７とを断熱しており、シート材３１を取り付ける作業の手間を低減し、圧縮機８とアキュムレータ７とにシート材３１をより容易に取り付けることができる。
【００５８】
シート材３１は、圧縮機断熱部分３２が圧縮機８に巻き付けられたときに、圧縮機断熱部分３２が圧縮機８の側面の全部を覆っていないことにより、第１の実施形態のシート材１５に比較して、より小さく形成されることができ、より安価に作製することができる。シート材３１が適用された圧縮機システムは、シート材３１が小さく形成されることにより、第１の実施形態の圧縮機システムに比較して、より安価に作製することができる。
【００５９】
シート材３１は、圧縮機断熱部分３２の一部分（シート材３１のうちの圧縮機断熱部分３２の側の端３５）がアキュムレータ断熱部分３３に接触するように圧縮機８に巻き付けられていることにより、圧縮機８が配置される領域を外部から隔離することができる。このため、シート材３１が適用された空調装置は、圧縮機断熱部分３２が圧縮機８の側面を一周ぐるりと取り囲んでいないように形成されていても、圧縮機８が配置される領域を外部からシート材３１を介して隔離することができ、圧縮機８から外部に漏れ出る騒音を低減することができる。
【００６０】
［第３の実施形態］
図６は、圧縮機システムの第３の実施形態における断熱材を示している。シート材４１は、シート材１５と同様にして、シート状に形成され、フェルト層とゴム層とを含む複数の層が積層される多層構造に形成されている。フェルト層は、フェルト状の断熱材から形成されている。ゴム層は、ゴムから形成され、フェルト層に重ねられている。
【００６１】
シート材４１は、圧縮機断熱部分４２とアキュムレータ断熱部分４３と連結部分４４とを備えている。連結部分４４は、アキュムレータ断熱部分４３とアキュムレータ断熱部分４３との間に配置され、アキュムレータ断熱部分４３とアキュムレータ断熱部分４３とを接合している。アキュムレータ断熱部分４３は、シート材４１のうちのアキュムレータ７が形成する円柱の側面に接触している部分である。アキュムレータ断熱部分４３は、フェルト層の側の面がアキュムレータ７に対向するように、かつ、シート材４１のうちのアキュムレータ断熱部分４３の側の端４６（すなわち、アキュムレータ断熱部分４３のうちの連結部分４４と反対側の端）がアキュムレータ断熱部分４３のうちの連結部分４４の側の端に届かないように、アキュムレータ７に巻き付けられている。すなわち、アキュムレータ断熱部分４３は、アキュムレータ７の側面を一周ぐるりと取り囲んでおらず、アキュムレータ７の周囲には、圧縮機８の側の領域にアキュムレータ断熱部分４３で覆われていない隙間が形成されている。
【００６２】
圧縮機断熱部分４２は、シート材４１のうちの圧縮機８が形成する円柱の側面に接触している部分である。圧縮機断熱部分４２は、フェルト層の側の面が圧縮機８に対向するように、かつ、シート材４１の端４５が圧縮機断熱部分４２と圧縮機８の間に挟まれるように、圧縮機８に巻き付けられている。圧縮機断熱部分４２には、切り込みが形成されている。切り込みは、圧縮機断熱部分４２が圧縮機８に巻きついているときに、支持部材１４が貫通するように、形成されている。切り込みは、支持部材１４が貫通する部分がシート材４１の端４５につながるように、形成されている。
【００６３】
圧縮機断熱部分４２には、さらに、他の切り込みが形成されている。切り込みは、圧縮機断熱部分４２が圧縮機８に巻きついているときに、吸入側配管１０のうちのアキュムレータ７と圧縮機８とをつなぐ部分が貫通するように、形成されている。切り込みは、吸入側配管１０が貫通する部分がシート材４１の端４５につながるように、形成されている。
【００６４】
シート材４１は、さらに、アキュムレータ断熱部分４３のゴム層の側の面の一部分（シート材４１のうちのアキュムレータ断熱部分４３の側の端４６）と圧縮機断熱部分４２のゴム層の側の面の一部分とが接触し、アキュムレータ７が配置される領域が外部から隔離されるように、取り付けられている。
【００６５】
シート材４１は、さらに、圧縮機側金具４７とアキュムレータ側金具４８と縛り紐４９とを備えている。圧縮機側金具４７は、圧縮機断熱部分４２のゴム層の側の表面に接合され、圧縮機断熱部分４２のゴム層の側の表面から突出する突起に形成されている。アキュムレータ側金具４８は、アキュムレータ断熱部分４３のゴム層の側の表面に接合され、アキュムレータ断熱部分４３のゴム層の側の表面から突出する突起に形成されている。縛り紐４９は、シート材４１が圧縮機８とアキュムレータ７とに巻きつかれているときに、縛り紐４９と連結部分４４との間に圧縮機８とアキュムレータ７とが配置されるように配置されている。縛り紐４９は、圧縮機断熱部分４２のうちの圧縮機側金具４７が接合された部分とアキュムレータ断熱部分４３のうちのアキュムレータ側金具４８が接合された部分とを引き寄せるように圧縮機側金具４７とアキュムレータ側金具４８とに絡められている。縛り紐４９は、圧縮機側金具４７とアキュムレータ側金具４８とを引き寄せることにより、圧縮機８とアキュムレータ７とからシート材４１が外れないように、シート材４１を圧縮機８とアキュムレータ７とに固定している。
【００６６】
シート材４１が適用された圧縮機システムも、第１の実施形態の圧縮機システムと同様にして、圧縮機８が配置される領域とアキュムレータ７が配置される領域とを隔てるようにシート材４１の一部が配置されることにより、圧縮機８からアキュムレータ７に移動する熱が低減され、圧縮機８から吐出される高温の冷媒の熱損失を十分に低減することができる。
【００６７】
シート材４１が適用された圧縮機システムは、圧縮機８が配置される領域とアキュムレータ７が配置される領域との間にシート材４１が二重になっていない部分がある。このため、シート材４１が適用された圧縮機システムは、圧縮機８とアキュムレータ７との間のシート材１５が二重になっている第１の実施形態の圧縮機システムに比較して、圧縮機８からアキュムレータ７に移動する熱を低減する効率が低い。しかしながら、圧縮機８とアキュムレータ７との間にシート材４１が二重になっていない部分が配置される場合でも圧縮機８からアキュムレータ７に移動する熱を十分に低減することができるときに、第３の実施形態の圧縮機システムように、一部が一重になっているシート材４１が適用されることができる。
【００６８】
シート材４１が適用された空調装置は、さらに、第１の実施形態の空調装置１と同様にして、１枚のシート材４１により圧縮機８とアキュムレータ７とを断熱しており、シート材４１を取り付ける作業の手間を低減し、圧縮機８とアキュムレータ７とにシート材４１をより容易に取り付けることができる。
【００６９】
シート材４１は、アキュムレータ断熱部分４３がアキュムレータ７に巻き付けられたときに、アキュムレータ断熱部分４３がアキュムレータ７の側面の全部を覆っていないことにより、第１の実施形態のシート材１５に比較して、より小さく形成されることができ、より安価に作製することができる。シート材４１が適用された空調装置は、シート材４１が小さく形成されることにより、第１の実施形態の空調装置１に比較して、より安価に作製することができる。
【００７０】
なお、上記実施形態では、圧縮機８としてシリンダ室を複数備えた多気筒ロータリー圧縮機が適用された例について説明したが、これに限らず、シリンダ室を多段構成することにより高圧縮比を得ることができる多段ロータリー圧縮機、シリンダ室を１つだけ備えた単気筒のロータリー圧縮機を適用することもできる。また、圧縮機８は、ロータリー圧縮機と異なる圧縮機に置換されることもできる。その圧縮機としては、スクロール圧縮機が例示される。この場合も、圧縮機システムは、１枚のシート材１５、３１、４１により圧縮機８とアキュムレータ７とを断熱することができ、部品点数が少なく、シート材１５、３１、４１を取り付ける作業の手間を低減し、圧縮機８とアキュムレータ７とにシート材１５をより容易に取り付けることができる。
【００７１】
なお、圧縮機システムは、空調装置と異なる他の装置に利用されることもできる。その装置としては、冷凍冷蔵庫、ヒートポンプ式給湯器が例示される。この場合も、圧縮機システムは、１枚のシート材１５、３１、４１により圧縮機８とアキュムレータ７とを断熱することができ、部品点数が少なく、シート材１５、３１、４１を取り付ける作業の手間を低減し、圧縮機８とアキュムレータ７とにシート材１５、３１、４１をより容易に取り付けることができる。
【符号の説明】
【００７２】
１  ：空調装置
７  ：アキュムレータ（圧縮機システム）
８  ：圧縮機（圧縮機システム）
１０：吸入側配管
１４：支持部材
１５：シート材
１６：圧縮機断熱部分
１７：アキュムレータ断熱部分
２１：圧縮機側金具
２２：アキュムレータ側金具
２３：縛り紐
３１：シート材
３２：圧縮機断熱部分
３３：アキュムレータ断熱部分
３７：圧縮機側金具
３８：アキュムレータ側金具
３９：縛り紐
４１：シート材
４２：圧縮機断熱部分
４３：アキュムレータ断熱部分
４７：圧縮機側金具
４８：アキュムレータ側金具
４９：縛り紐
【図１】
2016023609.tif 000003
【図２】
2016023609.tif 000004
【図３】
2016023609.tif 000005
【図４】
2016023609.tif 000006
【図５】
2016023609.tif 000007
【図６】
2016023609.tif 000008